(57)【特許請求の範囲】
【請求項１】
ハウジング内に計測値を表示する表示部が収納され、前記ハウジングに設けられた開口から計測値が読み取り可能であり、前記開口に気密に装着された透明な窓体と前記窓体を覆う透明カバーとを備えた計器において、
前記窓体の外側の面のうち周縁近傍は、前記窓体より内側に配された押し付け部材によりハウジング側に押し付けられることにより、前記ハウジングのうち前記開口の周辺部分の内側の面である窓体受け面に密着され、
前記開口の周辺部分は、前記窓体の外側の面上にオーバーハング状に張り出しており、
前記透明カバーは、その内側の面が前記窓体の外側の面と密着し、その外周縁がシール部材を介して前記開口の周縁と密着するとともに、その外側の面がシール部材の外側の面上に庇状に突出した状態で当該開口の周縁に固定され、
前記透明カバーの外側の面は前記ハウジングの外面に対して、同一平面又は突出した面となることを特徴とする計器。
【発明の詳細な説明】
【０００１】
【発明の属する技術分野】
この発明は、計器の表示部が表示する計測値を読み取り易くする為、計器の窓体の外側に配置され、窓体の外側に水が溜まるのを防止する透明カバーを備えた計器に関するものである。
【０００２】
【従来の技術】
計器の構造及び従来技術の透明カバーを、図７を参照して説明する。
【０００３】
計器１０には計測値を表示する表示部１２が収納され、ハウジング１４に設けられた開口１８から計測値が読み取り可能である。開口１８の内側には透明な窓体２０が装着されており、押しつけ部材２８で窓体２０をハウジング１４の窓体受け面１７に押しつけることにより窓体２０をハウジング１４に固定している。ハウジング１４の窓体受け面１７で窓体２０の外側面を押さえることにより、内部で爆発が生じたり圧力が高くなった場合でも、計器１０から窓体２０が飛び出すことを確実に防止している。ハウジング１４と窓体２０との間にはガスケットＡ２４が、また窓体２０と押しつけ部材２８との間にはガスケットＢ２６がそれぞれ配置され、両ガスケット２４，２６は押しつけ部材２８の押しつけ力により圧縮されるので、窓体２０はハウジング１４に気密に装着され、水が計器１０内部に入り込むことがない。
【０００４】
しかしながら、ハウジング１４の窓体受け面１７を形成する為に、ハウジング１４が窓体２０の外側でオーバーハング状になるので、ハウジング１４の外面１６が窓体２０の外側面２２より高くなり、窓体２０がハウジング１４に対して凹状になる。その為、計器１０に透明カバー３１が装着されていない場合には、雨などの使用環境により窓体２０の外側に水が溜まってしまい、計測値を読み取りづらくしてしまうという問題があった。
【０００５】
それに対し従来、外側面が平坦な透明カバー３１を計器１０の窓体２０を覆うように備えることにより、透明カバー３１の外側面についた水が透明カバー３１上を流れるようにし、窓体２０の表示板を表示する方向に水が溜まるのを防止していた。
【０００６】
【発明が解決しようとする課題】
しかし、従来技術の透明カバー３１は、単に透明カバー３１の端をハウジング１４に引っかけて止めてあるだけなので、気密性が弱く、計器１０を長期間使用していると、窓体２０と透明カバー３１との間に水が入り込み、窓体２０の表面に水滴がつき、計器１０の表示部１２の計測値が読み取りにくくなってしまうという問題があった。また、窓体２０の表面の水滴を拭き計測値を読み取り易くする為には、透明カバー３１を計器１０から外さなければならなかった。
【０００７】
この発明は、上記のような課題を解消するためになされたもので、透明カバー３１と窓体２０との間に水が溜まらないようにすることを目的とする。
【０００８】
【課題を解決するための手段】
この発明の請求項１に係る計器は、ハウジング内に計測値を表示する表示部が収納され、前記ハウジングに設けられた開口から計測値が読み取り可能であり、前記開口に気密に装着された透明な窓体と前記窓体を覆う透明カバーとを備えた計器において、前記窓体の外側の面のうち周縁近傍は、前記窓体より内側に配された押し付け部材によりハウジング側に押し付けられることにより、前記ハウジングのうち前記開口の周辺部分の内側の面である窓体受け面に密着され、前記開口の周辺部分は、前記窓体の外側の面上にオーバーハング状に張り出しており、前記透明カバーは、その内側の面が前記窓体の外側の面と密着し、その外周縁がシール部材を介して前記開口の周縁と密着するとともに、その外側の面がシール部材の外側の面上に庇状に突出した状態で当該開口の周縁に固定され、前記透明カバーの外側の面は前記ハウジングの外面に対して、同一平面又は突出した面となることを特徴とする。上記特徴的な構成により、透明カバーの内側面が計器の窓体に密着し、透明カバーと計器の窓体との間に空間を作らない為、水が透明カバーと窓体との間に溜まることを防止できる。また、透明カバーの外側面はハウジングの外面に対して同一平面又は突出した面であるので、透明カバーの外側面の水は透明カバー上を流れ、透明カバーの上に水が溜まることも防止している。
【０００９】
また、上記特徴的な構成により、透明カバーとハウジングとの間にシール部材を備えることにより、透明カバーの内側に水分やゴミ等が入るのを防止できる。
【００１０】
【発明の実施の形態】
以下、図面に基づき本発明の実施形態を説明する。
【００１１】
図１には、本発明に係る透明カバー３０を備える計器１０の概略図が示されている。
【００１２】
図１において、計測値を表示する表示部１２が計器１０の内部に収納されており、計器１０の外殻を形成するハウジング１４の開口１８から計測値を読み取ることができる。計器１０を外側から見ると図２のようになっており、表示部のＬＥＤで表示した数値、メータの読み等を読み取ることができる。開口１８の内側には透明な窓体２０が装着されており、押しつけ部材２８で窓体２０をハウジング１４の窓体受け面１７に押しつけることにより、窓体２０をハウジング１４に固定している。ハウジング１４の窓体受け面１７で窓体２０の外側面を押さえることにより、内部で爆発が生じたり圧力が高くなった場合でも、計器１０から窓体２０が飛び出すことを確実に防止している。ハウジング１４と窓体２０との間にはガスケットＡ２４が、また窓体２０と押しつけ部材２８との間にはガスケットＢ２６がそれぞれ配置され、両ガスケット２４，２６は押しつけ部材２８の押しつけ力により圧縮されるので、窓体２０はハウジング１４に気密に装着され、水が計器１０内部に入り込むことがない。
【００１３】
しかしながら、ハウジング１４の窓体受け面１７を形成する為に、ハウジング１４が窓体２０の外側でオーバーハング状になるので、ハウジング１４の外面１６が窓体２０の外側面２２より高くなり、窓体２０がハウジング１４に対して凹状になる。その窓体２０の外側に、本発明では以下に説明する透明カバー３０が配置されている。
【００１４】
本発明の透明カバー３０において特徴的なことは、透明カバー内側面３２が窓体外側面２２と密着することである。上記の特徴的な構成により、透明カバー３０と窓体２０との間には空間ができないので、従来技術で問題となっていた透明カバー３０と窓体２０との間に水が溜まる問題は発生せず、表示部１２の計測値が見えづらくなるのを防止している。尚、本発明の透明カバー３０では透明カバー外側面３４がハウジング外面１６に対して同一平面又は突出した面となっており、透明カバー３０の外側にも水が溜まらない。
【００１５】
次に、本発明の実施形態の特徴的な部分について、詳しく説明する。
【００１６】
図１に示すように本実施形態によれば、透明カバー３０とハウジング開口１８の間をシール部材３６でシールし、透明カバー３０と窓体２０との間に水分やゴミ等が入り込むのを防止することができる。ここでシール部材３６には、ガスケット、Ｏリング、ゴムパッキン等を用いることができる。シール部材３６は透明カバー３０を横方向に押しつけ、計器１０本体に固定する為、計器１０を傾けても透明カバー３０が外れることを防止できる。この場合、透明カバー３０を取り外しづらくなるが、透明カバー３０のシール部材３６の外方向の部分はシール部材３６の横の部分に対して庇状に突出しており、この透明カバー３０の庇状の部分をつまみにすることにより、透明カバー３０を簡単に取り出すことができる。上述の庇でも取り外しづらい場合は、図４のように透明カバー３０の外側面に取り外しつまみ３８を備えてもよい。取り外しつまみ３８は、透明カバー３０の全周にある必要はなく一カ所にあればよい。
【００１７】
透明カバー３０の外側面については、透明カバー外側面３４をハウジング外面１６に対して凸面とすると、傾斜がつくことで水が流れやすくなり、透明カバー外側面３４に更に水が溜まりづらくなる効果がある。ここで図３のように、透明カバー外側面３４をレンズ形状にすることにより、表示部１２の計測値を拡大して見やすくすることもできる。
【００１８】
次に、その他の実施形態を図５、図６を参照して説明する。
【００１９】
図５に示される実施形態では、透明カバー３０とハウジング開口１８の間にシール部材３６がなく、透明カバー３０のみの構成となっている。シール部材３６がなくても、図１の実施形態と同様に、透明カバー内側面３２が窓体外側面２２に密着するので、透明カバー３０と窓体２０の間に水が溜まることを防止できる。この場合、シール部材３６がないので、透明カバー３０は計器１０に固定されない。計器１０の運搬等で計器１０が傾いて透明カバー３０が外れてしまう可能性がある場合には、計器１０を設置位置に据え付けてから、透明カバー３０に装着するとよい。シール部材３６を使わずに透明カバー３０とハウジング１４を固定したい場合には、透明カバー３０全体をゴムのような弾性のある材質で作り、開口１８に圧入することにより、透明カバー３０を固定できる。また、このとき透明カバー３０自体がシール効果を持つ為、透明カバー３０とハウジング開口１８との間がシールされるので、シール部材３６を備えた図１のような実施形態と同様に、透明カバー３０と窓体２０との間にゴミ等が入るのを防止することができる。また、シール部材３６をなくしたことでコストダウンにもなる。
【００２０】
図６に示される実施形態では、透明カバー３０が透明カバー３０の内側にオイル等の液体やゲルを備えている。透明カバー３０がオイル等の液体やゲルを備えることにより、透明カバー３０は窓体２０と密着するので、透明カバー３０と窓体２０の間に水が入ることがなく、計器１０の表示部１２が見にくくなるのを防止できる。図１から図５に示す実施形態でも、わずかにできた透明カバー３０と窓体２０との間の隙間に上記の液体、ゲル等を透明カバー３０の内側に備えることにより、透明カバー３０と窓体２０との間に水分の入り込むのを更に防止できる効果がある。
【００２１】
また、透明カバー３０を着色することにより、日光下などでＬＥＤ表示が見やすくなり、また、計器１０内部への日光等の光による入熱を抑制し、計器１０を保護できる効果がある。
【００２２】
【発明の効果】
この発明の透明カバーにおいては、透明カバーの内側面は計器の窓体に密着し、透明カバーと計器の窓体との間に空間を作らない為、水が透明カバーと窓体の間に溜まることを防止できる。また、透明カバーの外側面はハウジングの外面に対して同一平面又は突出した面であるので、透明カバーの外側面に着いた水はハウジングへ流れ出し、透明カバーの外側には水が溜まることを防止できる。
【００２３】
透明カバーとハウジングとの間にシール部材を備えることにより、透明カバーと窓体との間に水分やゴミ等が入るのを防止できる。
【図面の簡単な説明】
【図１】  本発明に係る透明カバーを備える計器の概略図である。
【図２】  図１の計器を外側から見た図である。
【図３】  透明カバーの外側面が凸状になっている実施形態の説明図である。
【図４】  透明カバーが取り外しつまみを備えている実施形態の説明図である。
【図５】  シール部材を備えない実施形態の説明図である。
【図６】  透明カバーがオイル等の液体またはゲルを備える実施形態の説明図である。
【図７】  従来の透明カバーを備える計器の概略図である。
【符号の説明】
１０  計器、１２  表示部、１４  ハウジング、１６  ハウジング外面、１７ハウジングの窓体受け面、１８  ハウジング開口、２０  窓体、２２  窓体外側面、２４  ガスケットＡ、２６  ガスケットＢ、２８  押しつけ部材、３０  透明カバー、３１  従来の透明カバー、３２  透明カバー内側面、３４  透明カバー外側面、３６  シール部材、３８  取り外しつまみ。
【図１】
0004814450.tif 000002
【図２】
0004814450.tif 000003
【図３】
0004814450.tif 000004
【図４】
0004814450.tif 000005
【図５】
0004814450.tif 000006
【図６】
0004814450.tif 000007
【図７】
0004814450.tif 000008